(57)【要約】【課題】施工性の優れる太陽電池モジュール設置構造を提供する。【解決手段】太陽電池モジュール設置構造Ａは、上段モジュール接続用ケーブル１２及び下段モジュール接続用ケーブル１３を有する太陽電池モジュール１０が縦軸材２０に沿って多段に設置されている。任意の下段及び上段の太陽電池モジュール１０において、下段の太陽電池モジュール１０の上段モジュール接続用ケーブル１２が、上段の太陽電池モジュール１０の下段モジュール接続用ケーブル１３に電気的に接続されている。下段の太陽電池モジュール１０の上段モジュール接続用ケーブル１２が、縦軸材２０における上段の太陽電池モジュール１０の設置対応位置に取り付けられている。【選択図】図９
2020070677.tif 000002
【特許請求の範囲】
【請求項１】
上段モジュール接続用ケーブル及び下段モジュール接続用ケーブルを有する太陽電池モジュールが縦軸材に沿って多段に設置され、任意の隣接する下段及び上段の太陽電池モジュールにおいて、前記下段の太陽電池モジュールの前記上段モジュール接続用ケーブルが、前記上段の太陽電池モジュールの前記下段モジュール接続用ケーブルに電気的に接続された太陽電池モジュール設置構造であって、
前記下段の太陽電池モジュールの前記上段モジュール接続用ケーブルが、前記縦軸材における前記上段の太陽電池モジュールの設置対応位置に取り付けられている太陽電池モジュール設置構造。
【請求項２】
請求項１に記載された太陽電池モジュール設置構造において、
前記下段の太陽電池モジュールの前記上段モジュール接続用ケーブルが、ケーブル取付具により、前記縦軸材に取り付けられている太陽電池モジュール設置構造。
【請求項３】
請求項１又は２に記載された太陽電池モジュール設置構造において、
前記下段の太陽電池モジュールの前記上段モジュール接続用ケーブルは、道具を用いずに手作業で前記縦軸材から取り外し可能である太陽電池モジュール設置構造。
【請求項４】
上段モジュール接続用ケーブル及び下段モジュール接続用ケーブルを有する太陽電池モジュールが縦軸材に沿って多段に設置され、任意の隣接する下段及び上段の太陽電池モジュールにおいて、前記下段の太陽電池モジュールの前記上段モジュール接続用ケーブルが、前記上段の太陽電池モジュールの前記下段モジュール接続用ケーブルに電気的に接続された太陽電池モジュール設置構造の施工方法であって、
前記上段の太陽電池モジュールの設置前における前記下段の太陽電池モジュールの設置時に、前記下段の太陽電池モジュールの前記上段モジュール接続用ケーブルを、前記縦軸材における前記上段の太陽電池モジュールの設置対応位置に取り付ける太陽電池モジュール設置構造の施工方法。
【請求項５】
請求項４に記載された太陽電池モジュール設置構造の施工方法に用いるケーブル取付セットであって、
前記下段の太陽電池モジュールの前記上段モジュール接続用ケーブルに装着されるケーブル取付具と、
前記縦軸材における前記上段の太陽電池モジュールの設置対応位置を含む部分を構成し、且つ前記上段の太陽電池モジュールの設置対応位置に前記ケーブル取付具を取り付け可能なケーブル取付部が設けられた縦軸材構成部材と、
を有するケーブル取付セット。
【請求項６】
請求項５に記載されたケーブル取付セットにおいて、
前記縦軸材構成部材は、形状の異なる複数種の部材を含むケーブル取付セット。
【発明の詳細な説明】
【技術分野】
【０００１】
本発明は、太陽電池モジュール設置構造及びその施工方法、並びにそれに用いるケーブル取付セットに関する。
【背景技術】
【０００２】
太陽電池モジュールから延びるケーブルは、景観やメンテナンス等の観点から、その取扱いについて種々の検討がなされている。例えば、特許文献１には、太陽電池モジュールを取り付けた壁面パネルの長辺同士を接合して並設するとともに、それらの短辺に沿ってケーブル函を設け、且つ太陽電池モジュールから延びるケーブルを、そのケーブル函に収容することが開示されている。
【先行技術文献】
【特許文献】
【０００３】
【特許文献１】特開２０１１−５８２６１号公報
【発明の概要】
【発明が解決しようとする課題】
【０００４】
本発明の課題は、施工性の優れる太陽電池モジュール設置構造を提供することである。
【課題を解決するための手段】
【０００５】
本発明は、上段モジュール接続用ケーブル及び下段モジュール接続用ケーブルを有する太陽電池モジュールが縦軸材に沿って多段に設置され、任意の隣接する下段及び上段の太陽電池モジュールにおいて、前記下段の太陽電池モジュールの前記上段モジュール接続用ケーブルが、前記上段の太陽電池モジュールの前記下段モジュール接続用ケーブルに電気的に接続された太陽電池モジュール設置構造であって、前記下段の太陽電池モジュールの前記上段モジュール接続用ケーブルが、前記縦軸材における前記上段の太陽電池モジュールの設置対応位置に取り付けられている。
【０００６】
本発明は、上段モジュール接続用ケーブル及び下段モジュール接続用ケーブルを有する太陽電池モジュールが縦軸材に沿って多段に設置され、任意の隣接する下段及び上段の太陽電池モジュールにおいて、前記下段の太陽電池モジュールの前記上段モジュール接続用ケーブルが、前記上段の太陽電池モジュールの前記下段モジュール接続用ケーブルに電気的に接続された太陽電池モジュール設置構造の施工方法であって、前記上段の太陽電池モジュールの設置前における前記下段の太陽電池モジュールの設置時に、前記下段の太陽電池モジュールの前記上段モジュール接続用ケーブルを、前記縦軸材における前記上段の太陽電池モジュールの設置対応位置に取り付ける。
【０００７】
本発明は、本発明の太陽電池モジュール設置構造の施工方法に用いるケーブル取付セットであって、前記下段の太陽電池モジュールの前記上段モジュール接続用ケーブルに装着されるケーブル取付具と、前記縦軸材における前記上段の太陽電池モジュールの設置対応位置を含む部分を構成し、且つ前記上段の太陽電池モジュールの設置対応位置に前記ケーブル取付具を取り付け可能なケーブル取付部が設けられた縦軸材構成部材とを有する。
【発明の効果】
【０００８】
本発明によれば、下段の太陽電池モジュールの上段モジュール接続用ケーブルを、縦軸材における上段の太陽電池モジュールの設置対応位置に取り付けることにより、優れた施工性が得られる。
【図面の簡単な説明】
【０００９】
【図１】実施形態１に係る太陽電池モジュール設置構造の施工方法の第１ステップの説明図である。
【図２】実施形態１に係る太陽電池モジュール設置構造における外壁への縦軸材の取付構造を示す断面図である。
【図３】実施形態１に係る太陽電池モジュール設置構造の施工方法の第２ステップの説明図である。
【図４】実施形態１に係る太陽電池モジュール設置構造における一段目の太陽電池モジュールの下部の設置構造を示す断面図である。
【図５Ａ】実施形態１に係る太陽電池モジュール設置構造における上段モジュール接続用ケーブルの縦軸材を構成する取付レールへの取付構造を示す分解斜視図である。
【図５Ｂ】実施形態１に係る太陽電池モジュール設置構造における上段モジュール接続用ケーブルの縦軸材を構成する取付レールへの取付構造を示す斜視図である。
【図６】実施形態１に係る太陽電池モジュール設置構造の施工方法の第３ステップの説明図である。
【図７】実施形態１に係る太陽電池モジュール設置構造における一段目の太陽電池モジュールの上部及び二段目の太陽電池モジュールの下部の設置構造を示す断面図である。
【図８】実施形態１に係る太陽電池モジュール設置構造における上段モジュール接続用ケーブルの縦軸材を構成する架橋材への取付構造を示す斜視図である。
【図９】実施形態１に係る太陽電池モジュール設置構造の施工方法の第４及び第５ステップの説明図である。
【図１０Ａ】実施形態２に係る太陽電池モジュール設置構造における上段モジュール接続用ケーブルの縦軸材への取付構造を示す分解斜視図である。
【図１０Ｂ】実施形態２に係る太陽電池モジュール設置構造における上段モジュール接続用ケーブルの縦軸材への取付構造を示す斜視図である。
【図１１Ａ】実施形態２に係る太陽電池モジュール設置構造の施工方法における上段モジュール接続用ケーブルの縦軸材への取付方法を縦軸材の裏面側から示す第１の説明図である。
【図１１Ｂ】実施形態２に係る太陽電池モジュール設置構造の施工方法における上段モジュール接続用ケーブルの縦軸材への取付方法を縦軸材の裏面側から示す第２の説明図である。
【図１２Ａ】実施形態２に係る太陽電池モジュール設置構造の施工方法における上段モジュール接続用ケーブルの縦軸材への取付方法を縦軸材の断面で示す第１の説明図である。
【図１２Ｂ】実施形態２に係る太陽電池モジュール設置構造の施工方法における上段モジュール接続用ケーブルの縦軸材への取付方法を縦軸材の断面で示す第２の説明図である。
【発明を実施するための形態】
【００１０】
以下、実施形態について図面に基づいて詳細に説明する。
【００１１】
（実施形態１）
図１〜９に基づいて、実施形態１に係る太陽電池モジュール設置構造Ａ及びその施工方法を説明する。
【００１２】
ここで、まず、本出願における「太陽電池モジュール」とは、電気的に接続された複数の太陽電池セルを含み、それらが樹脂などの封止材で保護された太陽電池パネルに対して、フレーム等を付随させた製品を意味する。
【００１３】
また、以下の説明では、太陽電池モジュール１０は、住宅等の建築物の外壁Ｗに取り付けられることから、建築物の屋根側に向く方向を「上」または「上側」、及び地面側に向く方向を「下」または「下側」と称することがある。外壁Ｗを正面視した場合、手前側を「前側」、及びこの手前側に対する反対側を「後側」、並びに前側後側を結ぶ方向を「前後方向」と称することがある。上側下側を結ぶ方向を「縦方向」、及びこの縦方向と前後方向とにそれぞれ直交する方向を「横方向」、並びにこの横方向の一方側を「右側」、及び他方側を「左側」と称することがある。
【００１４】
複数の太陽電池モジュール１０が地面側（下側）から屋根側（上側）に積み上げて多段状に配置される場合にあって、任意の２つの太陽電池モジュール１０を比較したとき、上側の太陽電池モジュール１０を「上段」の太陽電池モジュール１０、下側の太陽電池モジュール１０を「下段」の太陽電池モジュール１０と称することがある。各太陽電池モジュール１０は、太陽電池モジュール１０を電気的に接続するためのモジュール接続用ケーブルを２本有しているが、上段の太陽電池モジュール１０に接続するためのモジュール接続用ケーブルを「上段モジュール接続用ケーブル１２」、下段の太陽電池モジュール１０に接続するためのモジュール接続用ケーブルを「下段モジュール接続用ケーブル１３」と称することがある。
【００１５】
なお、実施形態１に係る太陽電池モジュール設置構造Ａは、太陽電池モジュール１０が縦方向に多段に設置されたユニットが横方向に複数列設けられたものであるが、以下では、主として、それらのうちの中間列のユニットの施工方法について説明する。但し、各端列のユニットの施工方法も基本的には同一である。
【００１６】
＜第１ステップ＞
実施形態１に係る太陽電池モジュール設置構造Ａの施工方法では、第１ステップとして、図１に示すように、住宅等の建築物の外壁Ｗ上に、各々、縦方向に延びる複数の縦軸材２０を横方向に間隔をおいて取り付ける。
【００１７】
具体的には、まず、外壁Ｗにおける縦軸材２０の取付予定位置に、壁面飛出具２１を縦方向に所定の間隔をおいて配置して固定する。壁面飛出具２１は、例えば鋼板で形成されており、図２に示すように、前側プレート２１１と、その背面の中央に結合して後側に延びる後側プレート２１２とを有する断面Ｔ字状部材である。壁面飛出具２１は、前側プレート２１１が外壁Ｗに並行に配置されるとともに、後側プレート２１２が外壁Ｗの目地の部分に差し入れられ、その奥の図示しない鉄骨等の構造材に締結される。壁面飛出具２１は、このようにして外壁Ｗに固定される。
【００１８】
次いで、外壁Ｗにおける縦軸材２０の取付予定位置に固定した壁面飛出具２１に、取付レール２２を縦方向に一定の間隔をおいて配置して取り付ける。取付レール２２のこの取付は、その長さ方向の両側二箇所で行う。取付レール２２は、例えばメッキ鋼板で形成されており、図２に示すように、幅広の正面部２２１と幅狭の側面部２２２とを有する断面Ｌ字状部材である。壁面飛出具２１の前側プレート２１１は、正面から向かって左半分が左側のユニットの取付レール２２のレール取付部であり、且つ右半分が右側のユニットの取付レール２２のレール取付部であるが、取付レール２２は、正面部２２１が前側プレート２１１の対応するレール取付部に接触するとともに、側面部２２２が外壁Ｗ側に延び、且つ正面部２２１と側面部２２２との内側の角部が前側プレート２１１の側辺に当たるように配置される。そして、取付レール２２側からビスＢ１が取付レール２２の正面部２２１及び前側プレート２１１に形成されたビス孔２２１ａ，２１１ａに締め込まれる。取付レール２２は、このようにして壁面飛出具２１に取り付けられる。
【００１９】
次いで、縦方向に隣接する取付レール２２間を架橋材２３で連結する。架橋材２３は、例えばメッキ鋼板で形成されており、取付レール２２の側面部２２２と同一幅の平板状部材である。架橋材２３は、その上端部が上側の取付レール２２の側面部２２２の下端部に接触するとともに、下端部が下側の取付レール２２の側面部２２２の上端部に接触するように配置される。そして、それらのそれぞれにおいて、架橋材２３側から図示しないビスが架橋材２３及び取付レール２２の側面部２２２に形成されたビス孔に締め込まれる。架橋材２３は、このようにして取付レール２２に取り付けられる。
【００２０】
このように、壁面飛出具２１により外壁Ｗに取り付けられた取付レール２２と架橋材２３とを交互に結合させ、そのようにして外壁Ｗに取り付けられた縦軸材２０を構成する。したがって、取付レール２２及び架橋材２３は、縦軸材２０を構成する縦軸材構成部材である。この場合、縦軸材構成部材は、取付レール２２と架橋材２３との形状の異なる２種の部材を含む。なお、縦軸材構成部材は、形状の異なる３種以上の複数種の部材を含んでもよく、また、単一種の部材のみを含んでもよく、さらに、１本の単一部材であってもよい。
【００２１】
壁面飛出具の前側プレート２１１、取付レール２２、及び架橋材２３が金属製の場合、壁面飛出具２１により取付レール２２が外壁Ｗに取り付けられ、また、取付レール２２間が架橋材２３により連結されるとともに電気的に導通されることから、縦軸材２０は、全体として接地体を構成する。したがって、縦軸材２０には、それを構成する取付レール２２及び架橋材２３の任意の位置に、各種装置から延びる接地線の電気的な接続が可能である。
【００２２】
＜第２ステップ＞
実施形態１に係る太陽電池モジュール設置構造Ａの施工方法では、第２ステップとして、図３に示すように、最下段の一段目の太陽電池モジュール１０を設置する。
【００２３】
具体的には、まず、横方向に隣接する一対の縦軸材２０の下端部間に、それらを連結するようにレール補強板３０を取り付ける。また、それから縦方向に太陽電池モジュール１０の高さよりもやや短い間隔をおいて、それと平行に、別のレール補強板３０を、一対の縦軸材２０間に、それらを連結するように取り付ける。レール補強板３０は、例えばメッキ鋼板で形成された平板状部材である。レール補強板３０は、その左端部が左側の縦軸材２０に接触するとともに、右端部が右側の縦軸材２０に接触するように配置される。そして、それらのそれぞれにおいて、レール補強板３０側から図示しないビスがレール補強板３０及び縦軸材２０に形成されたビス孔に締め込まれる。レール補強板３０は、このようにして縦軸材２０に取り付けられる。
【００２４】
次いで、縦軸材２０の下端部間に取り付けた下側のレール補強板３０の上に重ねるようにモジュール設置材４０を取り付ける。モジュール設置材４０は、例えばメッキ鋼板で形成されており、図４に示すように、板状屈曲部材であって、上部の平板部４１と、その下端に連続して前側に延びた後に下側に屈曲して延びた段差部４２と、その下端に連続して前側に延びた後に上側に屈曲して延びたコの字溝部４３とを有する。なお、コの字溝部４３の底部には水抜き孔が形成されていてもよい。また、コの字溝部４３は、モジュール設置部材４０において、一体的に形成されているものに限定されるものではなく、別体的に形成されていても構わない。また、コの字溝部４３の底部は、モジュール設置材４０の全長にわたって形成されている必要はなく、モジュール設置材４０の全長において部分的に形成されていても構わない。モジュール設置材４０は、平板部４１が下側のレール補強板３０の上に重ねられる。そして、その左端部及び右端部のそれぞれにおいて、モジュール設置材４０側からビスＢ２がモジュール設置材４０の平板部４１及びレール補強板３０に形成されたビス孔４１ａ，３０ａに締め込まれる。モジュール設置材４０は、このようにしてレール補強板３０に取り付けられる。
【００２５】
次いで、一対の縦軸材２０とレール補強板３０及びモジュール設置材４０で形成される横長の長方形の枠の開口を封じるように一段目の太陽電池モジュール１０を設置する。太陽電池モジュール１０は、横長の長方形のモジュール本体１１と、各々、その裏面から延びた上段モジュール接続用ケーブル１２及び下段モジュール接続用ケーブル１３とを有する。上段モジュール接続用ケーブル１２及び下段モジュール接続用ケーブル１３のそれぞれは、電線のケーブル本体１２１，１３１と、その先端に取り付けられたコネクタ１２２，１３２とを有する。上段モジュール接続用ケーブル１２のコネクタ１２２と下段モジュール接続用ケーブル１３のコネクタ１３２とは接続可能とされている。なお、接続間違いを防ぐ観点からは、上段モジュール接続用ケーブル１２及び下段モジュール接続用ケーブル１３の同種のコネクタ同士は接続不能とされていることが好ましく、また、上段モジュール接続用ケーブル１２及び下段モジュール接続用ケーブル１３に色分け等の視覚的識別手段が施されていることが好ましい。
【００２６】
一段目の太陽電池モジュール１０は、モジュール本体１１の下辺部がモジュール設置材４０のコの字溝部４３に嵌め入れられるとともに、モジュール本体１１の背面の両側辺部が一対の縦軸材２０に、及び背面の上辺部が上側のレール補強板３０にそれぞれ接触するように設けられ、それによって縦軸材２０、レール補強板３０、及びモジュール設置材４０の枠に設置される。なお、モジュール本体１１とコの字溝部４３との間、及びモジュール本体１１とレール補強板３０との間のうちの少なくとも１つには、ゴム製等のガスケットを設けてもよい。
【００２７】
また、この一段目の太陽電池モジュール１０の設置時には、モジュール本体１１から延びる上段モジュール接続用ケーブル１２を、上側のレール補強板３０の後側に通し、図５Ａ及びＢに示すように、上段モジュール接続用ケーブル１２のケーブル本体１２１に装着されたケーブル取付具５０により、左側の縦軸材２０を構成する取付レール２２の側面部２２２における上段の二段目の太陽電池モジュール１０の設置対応位置に設けられたケーブル取付部６０に取り付ける。ケーブル取付具５０は、両端部にビス通し孔５１ａが形成されたバンド部５１と取付ビス５２とを有する。バンド部５１の形成材料としては、例えば、ステンレスなどの金属、樹脂等が挙げられる。ケーブル取付部６０はビス孔である。上段モジュール接続用ケーブル１２は、それにケーブル取付具５０のバンド部５１が巻かれる。バンド部５１の両端部が重ねられるとともに、その両端部のビス挿通孔５１ａに取付ビス５２が通される。そして、その取付ビス５２が、ドライバーにより、縦軸材２０を構成する取付レール２２の側面部２２２に設けられたビス孔のケーブル取付部６０に締め込まれ、ビス頭がバンド部５１のビス通し孔５１ａの周縁に係って抜け止めされる。上段モジュール接続用ケーブル１２は、このようにして縦軸材２０を構成する取付レール２２の側面部２２２に取り付けられる。
【００２８】
＜第３ステップ＞
実施形態１に係る太陽電池モジュール設置構造Ａの施工方法では、第３ステップとして、図６に示すように、最下段の一段目の太陽電池モジュール１０の隣接した上段の二段目の太陽電池モジュール１０を設置する。
【００２９】
具体的には、まず、第２ステップで取り付けた上側のレール補強板３０の上に重ねるようにモジュール設置材４０を取り付ける。モジュール設置材４０は、図７に示すように、平板部４１がレール補強板３０の上に重ねられるとともに、段差部４２が一段目の太陽電池モジュール１０の上辺部を覆うように配置される。そして、その左端部及び右端部のそれぞれにおいて、モジュール設置材４０側からビスＢ２がモジュール設置材４０の平板部４１及びレール補強板３０に形成されたビス孔４１ａ，３０ａに締め込まれる。これにより、一段目の太陽電池モジュール１０は、下辺部が下側のモジュール設置材４０のコの字溝部４３に嵌め入れられるとともに、上辺部が上側のモジュール設置材４０の段差部４２とレール補強板３０との間に嵌め入れられることとなって、前後方向の変位が規制された状態で設置される。なお、モジュール本体１１と段差部４２及びレール補強板３０との間にはゴム製等のガスケットを設けてもよい。
【００３０】
また、第２ステップで取り付けた上側のレール補強板３０から縦方向に太陽電池モジュール１０の高さよりもやや短い間隔をおいて、それと平行に、一対の縦軸材２０間に、それらを連結するようにレール補強板３０を取り付ける。レール補強板３０の縦軸材２０への取付方法は第２ステップと同一である。
【００３１】
次いで、一対の縦軸材２０とレール補強板３０及びモジュール設置材４０で形成される横長の長方形の枠の開口を封じるように二段目の太陽電池モジュール１０を設置する。二段目の太陽電池モジュール１０は、図７に示すように、モジュール本体１１の下辺部がモジュール設置材４０のコの字溝部４３に嵌め入れられるとともに、モジュール本体１１の背面の両側辺部が一対の縦軸材２０に、及び背面の上辺部がレール補強板３０にそれぞれ接触するように設けられ、それによって縦軸材２０、レール補強板３０、及びモジュール設置材４０の枠に設置される。
【００３２】
また、この二段目の太陽電池モジュール１０の設置時には、第２ステップで縦軸材２０における二段目の太陽電池モジュール１０の設置対応位置に取り付けた一段目の太陽電池モジュール１０の上段モジュール接続用ケーブル１２を、二段目の太陽電池モジュール１０のモジュール本体１１から延びる下段モジュール接続用ケーブル１３に電気的に接続する。
【００３３】
ところで、一段目の太陽電池モジュール１０の上段モジュール接続用ケーブル１２が縦軸材２０に取り付けられていなければ、この第３ステップの施工時に、その上段モジュール接続用ケーブル１２が一段目の太陽電池モジュール１０の背面側に落ち込んでしまう事態が発生することが想定される。その場合、太陽電池モジュール１０の背面側に手を入れる等して、落ち込んだ上段モジュール接続用ケーブル１２を引き上げる作業を行う必要があり、そのことによって施工性が損なわれることとなる。また、上段モジュール接続用ケーブル１２を引き上げる際に過度に引っ張ってしまったり、上段モジュール接続用ケーブル１２の先端が自由端なために太陽電池モジュール１０に干渉したりして、上段モジュール接続用ケーブル１２または太陽電池モジュール１０が破損してしまうこともあり得る。
【００３４】
しかしながら、実施形態１に係る太陽電池モジュール設置構造Ａの施工方法によれば、
上段の二段目の太陽電池モジュール１０の設置前における下段の一段目の太陽電池モジュール１０の設置時に、一段目の太陽電池モジュール１０の上段モジュール接続用ケーブル１２を、縦軸材２０における二段目の太陽電池モジュール１０の設置対応位置に取り付ける。こうすると、その取付部から先端側の上段モジュール接続用ケーブル１２の部分を取り扱えばよく、それによって優れた施工性が得られる。また、この取付位置が、縦軸材２０におけるそれを構成する取付レール２２の側面部２２２、したがって、二段目の太陽電池モジュール１０の背面の非対向面に取り付けられていることから、その二段目の太陽電池モジュール１０との干渉が回避される。
【００３５】
ここで、優れた施工性を得る観点からは、ケーブル取付部６０は、縦軸材２０を構成する取付レール２２の側面部２２２の二段目の太陽電池モジュール１０の設置対応位置を縦方向に三等分したときの真ん中の部分に設けられていることが好ましい。また、上段モジュール接続用ケーブル１２の長さに合わせた対応が可能となるという観点及び施工の自由度を高める観点からは、取付レール２２の側面部２２２の二段目の太陽電池モジュール１０の設置対応位置には、その長さ方向に間隔をおいて複数のケーブル取付部６０が設けられていることが好ましい。
【００３６】
さらに、この二段目の太陽電池モジュール１０の設置時には、一段目の太陽電池モジュール１０の設置時の場合と同様、モジュール本体１１から延びる上段モジュール接続用ケーブル１２を、上側のレール補強板３０の後側に通し、図８に示すように、上段モジュール接続用ケーブル１２のケーブル本体１２１に装着されたケーブル取付具５０により、左側の縦軸材２０を構成する架橋材２３における上段の三段目の太陽電池モジュール１０の設置対応位置のケーブル取付部６０に取り付ける。上段モジュール接続用ケーブル１２は、それにケーブル取付具５０のバンド部５１が巻かれる。バンド部５１の両端部が重ねられるとともに、その両端部のビス通し孔に取付ビス５２が通される。そして、その取付ビス５２が、ドライバーにより、縦軸材２０を構成する架橋材２３に設けられたビス孔のケーブル取付部６０に締め込まれ、ビス頭がバンド部５１のビス通し孔の周縁に係って抜け止めされる。上段モジュール接続用ケーブル１２は、このようにして縦軸材２０を構成する架橋材２３に取り付けられる。
【００３７】
ここで、上記と同様、優れた施工性を得る観点からは、ケーブル取付部６０は、縦軸材２０を構成する架橋材２３の三段目の太陽電池モジュール１０の設置対応位置を縦方向に三等分したときの真ん中の部分に設けられていることが好ましい。また、上段モジュール接続用ケーブル１２の長さに合わせた対応が可能となるという観点及び施工の自由度を高める観点からは、架橋材２３の三段目の太陽電池モジュール１０の設置対応位置には、その長さ方向に間隔をおいて複数のケーブル取付部６０が設けられていることが好ましい。
【００３８】
＜第４ステップ＞
実施形態１に係る太陽電池モジュール設置構造Ａの施工方法では、第４ステップとして、上段モジュール接続用ケーブル１２の縦軸材２０への取付を含めて第３ステップの二段目の太陽電池モジュール１０の設置と同様、図９に示すように、三段目以降の最上段まで太陽電池モジュール１０を設置し、最後に、最上段の太陽電池モジュール１０の上辺部を段差部４２で覆うようにモジュール設置材４０を取り付ける。
【００３９】
このとき、各段の太陽電池モジュール１０の設置時において、上段モジュール接続用ケーブル１２を、縦軸材２０における上段の太陽電池モジュール１０の設置対応位置に取り付けることにより、二段目の太陽電池モジュール１０の設置時の場合と同様、優れた施工性が得られる。
【００４０】
＜第５ステップ＞
実施形態１に係る太陽電池モジュール設置構造Ａの施工方法では、第５ステップとして、最下段の一段目の太陽電池モジュール１０の下段モジュール接続用ケーブル１３を、単独で又は２列以上のユニットのものをカップリングして、外壁Ｗを通して屋内から屋外に引き出されて延びた引込ケーブル７０ａに電気的に接続する。同様に、最上段の太陽電池モジュール１０の上段モジュール接続用ケーブル１２を、単独で又は２列以上のユニットのものをカップリングして、外壁Ｗを通して屋内から屋外に引き出されて延びた引込ケーブル７０ｂに電気的に接続する。なお、太陽電池モジュール１０同士の電気的な接続に関しては、太陽電池モジュール１０の種類、太陽電池モジュール１０の電気的設計等に応じて、適宜変更される、したがって、上記の電気的な接続に限定されるものではない。
【００４１】
以上の施工により完成する実施形態１に係る太陽電池モジュール設置構造Ａは、縦壁の外壁Ｗ上に、太陽電池モジュール１０が縦軸材２０に沿って多段に設置され、任意の隣接する下段及び上段の太陽電池モジュール１０において、下段の太陽電池モジュール１０の上段モジュール接続用ケーブル１２が、上段の太陽電池モジュール１０の下段モジュール接続用ケーブル１３に電気的に接続されている。そして、下段の太陽電池モジュール１０の上段モジュール接続用ケーブル１２が、縦軸材２０における上段の太陽電池モジュール１０の設置対応位置に取り付けられている。
【００４２】
このような実施形態１に係る太陽電池モジュール設置構造Ａによれば、下段の太陽電池モジュール１０の上段モジュール接続用ケーブル１２が、縦軸材２０における上段の太陽電池モジュール１０の設置対応位置に取り付けられ、そして、それに上段の太陽電池モジュール１０の下段モジュール接続用ケーブル１３に電気的に接続されているので、設置構造の裏面側において、上段モジュール接続用ケーブル１２及び下段モジュール接続用ケーブル１３が規則正しく整然と配置されることとなり、ケーブルの識別が容易となり、そのためメンテナンス性が優れることとなる。
【００４３】
また、実施形態１に係る太陽電池モジュール設置構造Ａの施工において、下段の太陽電池モジュール１０の上段モジュール接続用ケーブル１２を、縦軸材２０における上段の太陽電池モジュール１０の設置対応位置に取り付けるためには、下段の太陽電池モジュール１０の上段モジュール接続用ケーブル１２に装着されるケーブル取付具５０と、縦軸材２０における上段の太陽電池モジュール１０の設置対応位置を含む部分を構成する縦軸材構成部材である取付レール２２及び架橋材２３であって、それぞれ、上段の太陽電池モジュール１０の設置対応位置にケーブル取付具５０を取り付け可能なケーブル取付部６０が設けられたものとを有するケーブル取付セットを用いればよい。
【００４４】
（実施形態２）
実施形態２に係る太陽電池モジュール設置構造Ａ及びその施工方法を、図１０Ａ及びＢ〜図１２Ａ及びＢに基づいて説明する。なお、実施形態１と同一名称の部分は、実施形態１と同一符号で示す。また、方向の規定方法も実施形態１と同一である。
【００４５】
実施形態２に係る太陽電池モジュール設置構造Ａでは、図１０Ａ及びＢに示すように、任意の隣接する下段及び上段の太陽電池モジュール１０において、下段の太陽電池モジュール１０の上段モジュール接続用ケーブル１２は、そのケーブル本体１２１に装着されたケーブル取付具５０により、縦軸材２０を構成する取付レール２２の側面部２２２における上段の太陽電池モジュール１０の設置対応位置のケーブル取付部６０に取り付けられている。
【００４６】
ケーブル取付具５０は、両端部に部材通し孔５１ｂが形成されたバンド部５１と取付部材５３とを有する。バンド部５１及び取付部材５３の形成材料としては、例えば、ステンレスなどの金属、樹脂等が挙げられる。取付部材５３は、一端の大径円盤部５３１と、他端の小径円盤部５３２と、それらの中心間を連結する円柱部５３３とを有し、円柱部５３３の外径が大径円盤部５３１及び小径円盤部５３２の外径よりも小さいダンベル形状部材である。大径円盤部５３１の外径は、バンド部５１の部材通し孔５１ｂの内径よりも大きいが、小径円盤部５３２及び円柱部５３３の外径は、それよりも小さい。
【００４７】
ケーブル取付部６０は、上部の大径の丸孔部６０ａと、それに連続して下側に延びる下部の小径幅の長孔部６０ｂとを有するケーブル取付孔である。丸孔部６０ａの内径は、ケーブル取付具５０の大径円盤部５３１の外径よりも小さく、小径円盤部５３２の外径と同一又はそれよりも大きく、且つ円柱部５３３の外径よりも大きい。長孔部６０ｂの幅は、大径円盤部５３１及び小径円盤部５３２の外径よりも小さく、且つ円柱部５３３の外径と同一又はそれよりも大きい。
【００４８】
実施形態２に係る太陽電池モジュール設置構造Ａの施工においては、上段モジュール接続用ケーブル１２は、それにケーブル取付具５０のバンド部５１が巻かれる。バンド部５１の両端部が重ねられるとともに、その両端部の部材通し孔５１ｂに取付部材５３の小径円盤部５３２及び円柱部５３３が通される。それらの小径円盤部５３２及び円柱部５３３は、図１１Ａ及び図１２Ａに示すように、縦軸材２０に設けられたケーブル取付部６０の丸孔部６０ａに差し入れられる。なお、大径円盤部５３１は、その外径が丸孔部６０ａの内径よりも大きいので、バンド部５１とともに丸孔部６０ａに差し入れられることはない。そして、図１１Ｂ及び図１２Ｂに示すように、それらが長孔部６０ｂに案内されてその下端に位置付けられ、大径円盤部５３１がバンド部５１の部材通し孔５１ｂの周縁に係って抜け止めされるとともに、小径円盤部５３２が縦軸材２０のケーブル取付部６０の長孔部６０ｂの縁に係って抜け止めされる。上段モジュール接続用ケーブル１２は、このようにして縦軸材２０を構成する取付レール２２の側面部２２２に取り付けられる。
【００４９】
なお、縦軸材２０を構成する架橋材２３においても、同様の形態で、下段の太陽電池モジュール１０の上段モジュール接続用ケーブル１２が、上段の太陽電池モジュール１０の設置対応位置に取り付けられる。
【００５０】
実施形態２に係る太陽電池モジュール設置構造Ａによれば、上段モジュール接続用ケーブル１２は、ドライバー等の道具を用いずに、手作業で縦軸材２０に取り付け可能であるとともに、縦軸材２０から取り外し可能であるので、その施工作業が容易であることに加え、太陽電池モジュール１０の取り外しも容易となることから、メンテナンス性も優れることとなる。その他の構成及び作用効果は、実施形態１と同一である。
【００５１】
（その他の実施形態）
上記実施形態１及び２では、太陽電池モジュール設置構造Ａが外壁Ｗ上に配置された構成としたが、特にこれに限定されるものではなく、太陽電池モジュール設置構造Ａが屋根等の傾斜面や地面等の水平面に配置された構成であってもよい。
【００５２】
上記実施形態１及び２では、上段モジュール接続用ケーブル１２に装着したケーブル取付具５０を縦軸材２０に設けられたケーブル取付部６０に取り付ける構成としたが、特にこれに限定されるものではなく、この取付は、例えば、クリップ部材やマグネット部材等のケーブル取付具を上段モジュール接続用ケーブル１２に装着し、それを用いて上段モジュール接続用ケーブル１２を縦軸材２０の任意の位置に取り付ける構成であってもよい。
【００５３】
また、この取付は、クリップ部材等のケーブル取付具を縦軸材２０の所定位置に固定し、それを用いて上段モジュール接続用ケーブル１２を縦軸材２０に取り付ける構成であってもよい。
【００５４】
さらに、この取付は、上段モジュール接続用ケーブル１２及び縦軸材２０とは別体のクリップ部材等のケーブル取付具を用いて、上段モジュール接続用ケーブル１２を縦軸材２０に取り付ける構成であってもよい。
【００５５】
また、この取付は、ケーブル取付具を用いず、縦軸材２０に形成された孔や端部に形成された切り欠きで構成された係り止め部に、上段モジュール接続用ケーブル１２を引っ掛けて取り付ける構成であってもよく、その他、縦軸材２０に上段モジュール接続用ケーブル１２を接着剤で取り付ける構成であってもよい。
【符号の説明】
【００５６】
Ａ  太陽電池モジュール設置構造
１０  太陽電池モジュール
１２  上段モジュール接続用ケーブル
１３  下段モジュール接続用ケーブル
２０  縦軸材
２２  取付レール（縦軸材構成部材）
２３  架橋材（縦軸材構成部材）
５０  ケーブル取付具
６０  ケーブル取付部
【図１】
2020070677.tif 000003
【図２】
2020070677.tif 000004
【図３】
2020070677.tif 000005
【図４】
2020070677.tif 000006
【図５Ａ】
2020070677.tif 000007
【図５Ｂ】
2020070677.tif 000008
【図６】
2020070677.tif 000009
【図７】
2020070677.tif 000010
【図８】
2020070677.tif 000011
【図９】
2020070677.tif 000012
【図１０Ａ】
2020070677.tif 000013
【図１０Ｂ】
2020070677.tif 000014
【図１１Ａ】
2020070677.tif 000015
【図１１Ｂ】
2020070677.tif 000016
【図１２Ａ】
2020070677.tif 000017
【図１２Ｂ】
2020070677.tif 000018